(57)【要約】【課題】ハンドオーバ時のデータ通信性能の低下を抑制する。【解決手段】移動型の無線通信装置の受信品質指標に基づいて複数種類のセル間のハンドオーバを制御する移動通信システムであって、ハンドオーバ制御対象の移動型の無線通信装置で得られる又は期待されるデータ通信性能は、複数種類のセル間で互いに異なり、無線通信装置でデータ通信に利用している通信サービス又はセッションに対応するデータ通信性能が得られる特定種類のセルに無線通信装置を優先的に接続させる。【選択図】図１
2019009681.tif 000002
【特許請求の範囲】
【請求項１】
移動型の無線通信装置の受信品質指標に基づいて複数種類のセル間のハンドオーバを制御する移動通信システムであって、
ハンドオーバ制御対象の前記移動型の無線通信装置で得られる又は期待されるデータ通信性能は、前記複数種類のセル間で互いに異なり、
前記無線通信装置が利用している通信サービス又はセッションに対応する特定種類のセルに前記無線通信装置を優先的に接続させることを特徴とする移動通信システム。
【請求項２】
請求項１の移動通信システムにおいて、
前記複数種類のセルは使用周波数帯が互いに異なり、前記無線通信装置が利用している通信サービス又はセッションに対する使用周波数帯として、前記特定種類のセルの周波数帯を設定することを特徴とする移動通信システム。
【請求項３】
請求項１又は２の移動通信システムにおいて、
前記データ通信性能は、前記無線通信装置によるデータ通信における伝送遅延特性及びスループットの少なくとも一方であることを特徴とする移動通信システム。
【請求項４】
請求項１乃至３のいずれかの移動通信システムにおいて、
前記特定種類のセルは、前記セルの基地局の内部、前記セルの基地局の近傍又は前記セルの基地局とコアネットワークとの間に、前記セルに在圏する前記無線通信装置によるデータ通信で送受信されるデータを処理するデータ処理装置が配置されたセルであることを特徴とする移動通信システム。
【請求項５】
請求項１乃至４のいずれかの移動通信システムにおいて、
前記特定種類のセルの使用周波数帯における受信品質指標と所定の閾値と基づいて、前記特定種類のセルへの優先接続を制御することを特徴とする移動通信システム。
【請求項６】
請求項１乃至５のいずれかの移動通信システムにおいて、
前記特定種類のセルに前記無線通信装置を優先的に接続させる制御は、前記無線通信装置によるデータ通信におけるデータ通信性能を優先させる通信サービスを用いる移動型の無線通信装置又はセッションのみに適用することを特徴とする移動通信システム。
【請求項７】
請求項１乃至５のいずれかの移動通信システムにおいて、
前記特定種類のセルに前記無線通信装置を優先的に接続させる制御は、前記無線通信装置で用いる通信サービスにかかわらず前記複数のセル間をハンドオーバ可能な移動型の無線通信装置に適用することを特徴とする移動通信システム。
【請求項８】
請求項１乃至７のいずれかの移動通信システムにおいて、
前記受信品質指標は、ＲＳＲＰ、ＲＳＲＱ又はＲＳ−ＳＩＮＲであることを特徴とする移動通信システム。
【請求項９】
請求項１乃至８のいずれかの移動通信システムにおいて、
前記移動型の無線通信装置は移動局であることを特徴とする移動通信システム。
【請求項１０】
請求項１乃至８のいずれかの移動通信システムにおいて、
前記移動型の無線通信装置は移動型の基地局であることを特徴とする移動通信システム。
【請求項１１】
移動型の無線通信装置の受信品質に基づいて前記無線通信装置のハンドオーバを制御する移動通信システムの基地局であって、
ハンドオーバ制御対象の前記移動型の無線通信装置で得られる又は期待されるデータ通信性能は、前記複数種類のセル間で互いに異なり、
前記無線通信装置でデータ通信に利用している通信サービス又はセッションに対応する特定種類のセルに前記無線通信装置を優先的に接続させるように制御することを特徴とする基地局。
【請求項１２】
移動型の無線通信装置の受信品質指標に基づいてハンドオーバを制御する移動通信システムのハンドオーバ制御方法であって、
ハンドオーバ制御対象の前記移動型の無線通信装置で得られる又は期待されるデータ通信性能は、前記複数種類のセル間で互いに異なり、
前記無線通信装置でデータ通信に利用している通信サービス又はセッションに対応する特定種類のセルに前記無線通信装置を優先的に接続させるように制御することを特徴とするハンドオーバ制御方法。
【発明の詳細な説明】
【技術分野】
【０００１】
本発明は、基地局、移動通信システム及びハンドオーバ制御方法に関するものである。
【背景技術】
【０００２】
従来、セルラー方式の移動通信システムにおいて、サービングセルに在圏している通信中の移動局が他の周辺セルに移動するとき、移動局から送信される受信品質指標の測定報告に基づいて、移動局が接続して通信する基地局を周辺セルの基地局に切り換えて通信を継続するハンドオーバ制御が知られている（例えば、非特許文献１〜３参照）。
【０００３】
また、移動局のアプリケーションデータを処理するデータ処理装置（以下、「ＭＥＣ（Mobile Edge Computing）装置」ともいう。）を基地局の近傍に設け、アプリケーションデータの送受信の低遅延化を図る技術が検討されている（非特許文献４、５）。
【先行技術文献】
【非特許文献】
【０００４】
【非特許文献１】3GPP TS 36.300 "Evolved Universal Terrestrial Radio Access (E-UTRA)and Evolved Universal Terrestrial Radio Access Network(E-UTRAN); Overall description; Stage 2; Protocol specification" V9.10.0
【非特許文献２】3GPP TS 36.331 "Evolved Universal Terrestrial Radio Access (E-UTRA); Radio Resource Control (RRC); Protocol specification" V9.18.0
【非特許文献３】3GPP TS 36.331 "Evolved Universal Terrestrial Radio Access (E-UTRA);Physical layer; Measurements" (Release 13)
【非特許文献４】Milan Patel et al, "Mobile-Edge Computing" Mobile-Edge Computing - Introductory Technical White Paper, Mobile-Edge Computing (MEC) industry initiative, [Online] Sept. 2014, [平成２９年６月１３日検索], インターネット〈ＵＲＬ：https://portal.etsi.org/portals/0/tbpages/mec/docs/mobile-edge_computing_-_introductory_technical_white_paper_v1%2018-09-14.pdf〉
【非特許文献５】Yun Chao Hu, Milan Patel, Dario Sabella, Nurit Sprecher and Valerie Young, "Mobile Edge Computing A key technology towards 5G", First Edition, ETSI White Paper, No. 11, [Online] Sept. 2015, [平成２９年６月１３日検索], インターネット〈ＵＲＬ：http://www.etsi.org/images/files/ETSIWhitePapers/etsi_wp11_mec_a_key_technology_towards_5g.pdf〉
【発明の概要】
【発明が解決しようとする課題】
【０００５】
上記従来のハンドオーバ制御では、実際の伝送遅延やスループットなどのデータ通信性能に基づく制御ではないため、データ通信性能が最大となるセルに接続されないおそれがある。例えば、上記ＭＥＣ装置が近傍に配置された基地局のセルに在圏する移動局がＭＥＣ装置によるデータ処理を伴う通信サービスやセッションを利用しているときに、上記受信品質指標に基づいて、ＭＥＣ装置が配置されていない基地局のセルにハンドオーバされてしまうと、データ通信の伝送遅延特性がハンドオーバ前に比べて低下するおそれがある。
【課題を解決するための手段】
【０００６】
本発明の一態様に係る移動通信システムは、移動型の無線通信装置の受信品質指標に基づいて複数種類のセル間のハンドオーバを制御する移動通信システムであって、ハンドオーバ制御対象の前記移動型の無線通信装置で得られるまたは期待されるデータ通信性能は、前記複数種類のセル間で互いに異なり、前記無線通信装置が利用している通信サービス又はセッションに対応するデータ通信性能が得られる特定種類のセルに前記無線通信装置を優先的に接続させる。
前記移動通信システムにおいて、前記複数種類のセルは使用周波数帯が互いに異なり、前記無線通信装置が利用している通信サービス又はセッションに対する使用周波数帯として、前記特定種類のセルの周波数帯を設定してもよい。
また、前記移動通信システムにおいて、前記データ通信性能は、前記無線通信装置によるデータ通信における伝送遅延特性及びスループットの少なくとも一方であってもよい。
また、前記移動通信システムにおいて、前記特定種類のセルは、前記セルの基地局の内部、前記セルの基地局の近傍又は前記セルの基地局とコアネットワークとの間に、前記セルに在圏する前記無線通信装置によるデータ通信で送受信されるデータを処理するデータ処理装置が配置されたセルであってもよい。
また、前記移動通信システムにおいて、前記特定種類のセルの使用周波数帯における受信品質指標と所定の閾値と基づいて、前記特定種類のセルへの優先接続を制御してもよい。
また、前記移動通信システムにおいて、前記特定種類のセルに前記無線通信装置を優先的に接続させる制御は、前記無線通信装置によるデータ通信におけるデータ通信性能を優先させる通信サービスを用いる移動型の無線通信装置又はセッションのみに適用してもよい。
また、前記移動通信システムにおいて、前記特定種類のセルに前記無線通信装置を優先的に接続させる制御は、前記無線通信装置で用いる通信サービスにかかわらず前記複数のセル間をハンドオーバ可能な移動型の無線通信装置に適用してもよい。
また、前記移動通信システムにおいて、前記受信品質指標は、ＲＳＲＰ、ＲＳＲＱ又はＲＳ−ＳＩＮＲであってもよい。
また、前記移動通信システムにおいて、前記移動型の無線通信装置は、移動局であってもよいし、移動型の基地局であってもよい。
【０００７】
本発明の他の態様に係る基地局は、移動型の無線通信装置の受信品質指標に基づいて前記無線通信装置のハンドオーバを制御する移動通信システムの基地局であって、ハンドオーバ制御対象の前記移動型の無線通信装置で得られる又は期待されるデータ通信性能は、前記複数種類のセル間で互いに異なり、前記無線通信装置でデータ通信に利用している通信サービス又はセッションに対応する特定種類のセルに前記無線通信装置を優先的に接続させるように制御する。
【０００８】
本発明の更に他の態様に係るハンドオーバ制御方法は、移動型の無線通信装置の受信品質指標情報に基づいてハンドオーバを制御する移動通信システムのハンドオーバ制御方法であって、ハンドオーバ制御対象の前記移動型の無線通信装置で得られる又は期待されるデータ通信性能は、前記複数種類のセル間で互いに異なり、前記無線通信装置でデータ通信に利用している通信サービス又はセッションに対応する特定種類のセルに前記無線通信装置を優先的に接続させるように制御する。
【発明の効果】
【０００９】
本発明によれば、無線通信装置が利用している通信サービス又はセッションに対応するデータ通信性能が得られる特定種類のセルに無線通信装置を優先的に接続させることにより、無線通信装置がデータ通信を行っているときのデータ通信性能の劣化を抑制できるので、ハンドオーバ時のデータ通信性能の低下を抑制することができる。
【図面の簡単な説明】
【００１０】
【図１】本発明の一実施形態に係るオーバレイセル構成の移動通信システムの概略構成を示す説明図。
【図２】本実施形態に係る基地局のハンドオーバ制御の一例を示すフローチャート。
【図３】本実施形態に係る移動通信システムにおけるハンドオーバ制御の一例を示すシーケンス図。
【発明を実施するための形態】
【００１１】
以下、図面を参照して本発明の実施形態について説明する。ここでは、ＬＴＥ（Long Term Evolution）／ＬＴＥ−Ａｄｖａｎｃｅｄへの適用を前提に本発明の実施形態を説明するが、類似のセル構成を用いるシステムであれば、本発明の概念はどのようなシステムにも適用可能である。
【００１２】
図１は、本発明の一実施形態に係るオーバレイセル構成の移動通信システムの概略構成を示す説明図である。なお、図１では、マクロセルに２つのスモールセルが重畳している場合について示しているが、本発明は、マクロセルに１つのスモールセルが重畳している場合や、マクロセルに３つ以上のスモールセルが重畳している場合にも、同様に適用することができる。
【００１３】
図１において、本実施形態の移動通信システムは、前述のＬＴＥ／ＬＴＥ−Ａｄｖａｎｃｅｄの仕様に準拠するセルラー方式の移動通信システムであり、第１の基地局としてのマクロセル基地局（ｅＮＢ）１１１，１１２と、第２の基地局としてのスモールセル基地局（ｓＮＢ）１２１〜１２４とを備えている。
【００１４】
各基地局１１１，１１２，１２１〜１２４は、所定のインターフェースからなるバックホール回線を介して移動通信ネットワークのコアネットワーク１４０に接続されている。スモールセル基地局１２１，１２２のスモールセル１２１Ａ，１２２Ａは、マクロセル基地局１１１のマクロセル１１１Ａに重畳し、スモールセル基地局１２３，１２４のスモールセル１２３Ａ，１２４Ａは、マクロセル基地局１１２のマクロセル１１２Ａに重畳している。スモールセル基地局１２１〜１２４はそれぞれ、スモールセル１２１Ａ〜１２４Ａが移動経路の道路２００に沿ったエリアを連続的にカバーするように配置され、道路２００を走行している移動体である自動車（乗用車、トラック、バスなど）２１０に搭載されている移動型の無線通信装置としての移動局１０と無線通信することができる。
【００１５】
自動車２１０に搭載された移動局１０は、ＬＴＥ／ＬＴＥ−Ａｄｖａｎｃｅｄでは一般にＵＥ（User Equipment）とも呼ばれる。移動局１０は、スモールセル基地局１２１〜１２４のスモールセル１２１Ａ〜１２４Ａやマクロセル基地局１１１，１１２のマクロセル１１１Ａ，１１２Ａに在圏するときに、その在圏するセルに対応するスモールセル基地局１２１〜１２４やマクロセル基地局１１１，１１２と間で所定の通信方式及びリソースを用いて無線通信することができる。
【００１６】
なお、本実施形態では、移動局１０を搭載する移動体が自動車２１０である場合について説明するが、本実施形態における移動体は、自動車２１０のほか、線路上を走行する鉄道車両、航空機又は船舶であってもよい。また、自動車２１０に搭載する移動型の無線通信装置は、自動車２１０の少なくとも外側の周辺エリアおよび自動車２１０の車内をカバーする移動型のセル（以下「ムービングセル」という。）を形成する移動型の基地局であってもよい。移動型の基地局は、ムービングセル内に位置する移動局（ユーザ装置）と、固定基地局であるマクロセル基地局１１１、１１２及びスモールセル基地局１２１〜１２４との間の通信を中継する。ムービングセルは、自動車２１０の外側の周辺エリアと自動車２１０の内側エリアとを含んでもよい。また、ムービングセルのセル径は例えば１００ｍであり、２０ｍ以下〜５０ｍ以下であってもよい。
【００１７】
スモールセル基地局１２１〜１２４は、広域のマクロセル基地局とは異なり、例えば１Ｗ以下の送信パワーを有し、無線通信可能距離が数ｍ乃至数百ｍ程度（例えば数１０ｍ程度）であり、一般家庭、店舗、オフィス等の屋内にも設置することができる小容量の基地局である。スモールセル基地局は、移動体通信網における広域のマクロセル基地局がカバーするエリアよりも小さなエリアをカバーするように設けられるため「フェムト基地局」と呼ばれたり、「Ｈｏｍｅ  ｅ−Ｎｏｄｅ  Ｂ」や「Ｈｏｍｅ  ｅＮＢ」と呼ばれたりする場合もある。スモールセル基地局は、回線終端装置及びＡＤＳＬ（Asymmetric Digital Subscriber Line）回線や光回線等のブロードバンド公衆通信回線などの通信回線を介して移動体通信網のコアネットワーク１４０に接続され、他の基地局や、コアネットワーク１０４０上のサーバ装置などの各種ノードとの間で所定の通信インターフェースにより通信可能になっている。
【００１８】
マクロセル基地局１１１，１１２は、例えば１０Ｗ程度の送信パワーを有し、移動体通信網において屋外に設置されている通常の半径数百ｍ乃至数ｋｍ程度の広域エリアであるマクロセルをカバーする広域の基地局であり、「Ｍａｃｒｏ  ｅ−Ｎｏｄｅ  Ｂ」、「ＭｅＮＢ」等と呼ばれる場合もある。マクロセル基地局は、他の基地局と例えば有線の通信回線で接続され、所定の通信インターフェースで通信可能になっている。また、マクロセル基地局は、回線終端装置及び専用回線などの通信回線を介して移動体通信網のコアネットワーク１４０に接続され、コアネットワーク１４０上のサーバ装置などの各種ノードとの間で所定の通信インターフェースにより通信可能になっている。
【００１９】
また、スモールセル基地局１２１〜１２４及びマクロセル基地局１１１，１１２それぞれの基地局装置は、例えばＣＰＵやメモリ等を有するコンピュータ装置、コアネットワーク１４０に対する外部通信インターフェース部、無線通信部などのハードウェアを用いて構成され、所定のプログラムが実行されることにより、後述のハンドオーバ制御を実行したり、所定の通信方式及び無線通信リソースを用いてユーザ端末である移動局との間の無線通信を行ったりすることができる。
【００２０】
本実施形態において、スモールセル基地局１２１〜１２４とマクロセル基地局１１１，１１２とは互いに異なる周波数帯及び無線通信方式を使用する。例えば、スモールセル基地局１２１〜１２４は、バンド４１の周波数帯（２．５ＧＨｚ帯）を使用し、ＬＴＥ（Ｌｏｎｇ  Ｔｅｒｍ  Ｅｖｏｌｕｔｉｏｎ）にＴＤＤ（時分割複信）技術を組み合わせたＴＤ−ＬＴＥ方式で移動局１０と無線通信する。また例えば、マクロセル基地局１１１，１１２は、バンド１の周波数帯（２．１ＧＨｚ帯）を使用し、ＬＴＥにＦＤＤ（周波数分割複信）技術を組み合わせたＦＤ−ＬＴＥ方式で移動局１０と無線通信する。
【００２１】
また、本実施形態において、スモールセル基地局１２１〜１２４それぞれの近傍に、スモールセル１２１Ａ〜１２４Ａに在圏する移動局１０によるデータ通信で送受信されるデータ（例えば、自動車関係の通信アプリケーションのデータ）を処理するデータ処理装置としてのＭＥＣ（Ｍｏｂｉｌｅ  Ｅｄｇｅ  Ｃｏｍｐｕｔｉｎｇ）サーバ１５１〜１５４が設けられている。一方、本実施形態のマクロセル基地局１１１，１１２の近傍にはＭＥＣサーバが設けられていない。本実施形態では、スモールセル基地局１２１〜１２４の近傍にＭＥＣサーバを設けた構成となっているが、スモールセル基地局１２１〜１２４の近傍にＭＥＣサーバを設けない代わりにマクロセル基地局１１１，１１２の近傍に設けてもよい。
【００２２】
なお、ＭＥＣサーバ１５１〜１５４はそれぞれ、スモールセル基地局１２１〜１２４の内部に設けてもよいし、スモールセル基地局１２１〜１２４とコアネットワーク１４０との間に設けてもよい。また、自動車関係の通信アプリケーションとしては、自動車と各種モノとの間の通信であるＶ２Ｘ（Vehicle-to-everything）通信アプリケーションが挙げられる。Ｖ２Ｘ通信アプリケーションには、自動車と移動通信網との間の通信（Ｖ２Ｎ：Vehicle-to-cellular-Network）アプリケーション、車車間通信（Ｖ２Ｖ：Vehicle-to-Vehicle）アプリケーション、路車間通信（Ｖ２Ｉ：Vehicle-to-roadside-Infrastructure）アプリケーション、 自動車と歩行者との通信（Ｖ２Ｐ：Vehicle-to-Pedestrian）アプリケーションなどを含む。
【００２３】
ＭＥＣサーバ１５１〜１５４は、ユーザ端末である移動局１０のより近傍（モバイルエッジ）に配置され、移動局１０で実行されているアプリケーションで送受信されるデータを処理するコンピューティングリソースとして機能する。移動局１０から要求されたデータ処理をＭＥＣサーバ１５１〜１５４で実行し、移動局１０からのデータ通信をＭＥＣサーバで折り返すことにより、コアネットワーク１４０上のデータセンターやサーバで処理を行う場合に比べてデータ通信の通信距離が短くなる (経由するルータのホップ数が少なくなる) ため、Ｅｎｄ−ｔｏ−Ｅｎｄの遅延を抑制して低遅延なデータ通信を実現できる。
【００２４】
以上のようにスモールセル基地局１２１〜１２４それぞれの近傍にＭＥＣサーバ１５１〜１５４が設けられ、マクロセル基地局１１１，１１２の近傍にはＭＥＣサーバが設けられていないため、ハンドオーバ制御対象の移動局１００で得られる又は期待されるデータ通信性能は、複数種類のセル間であるスモールセル１２１Ａ〜１２４Ａとマクロセル１１１Ａ，１１２Ａとの間で互いに異なる。
【００２５】
本実施形態の移動通信システムにおいて移動局１００がセル間を移動するときのハンドオーバ制御は、移動局１０で測定された接続セル選択指標としての受信品質指標の測定報告に基づいて行われる。同一周波数帯の複数セル間のハンドオーバ制御に関わる受信品質指標としては，通常ＲＳＲＰ（Reference Signal Received Power）が用いられるが、特に、本実施形態のように複数種類の使用周波数帯のセルが混在する移動通信システムでは、受信品質指標として、ＲＳＲＱ（Reference Signal Received Quality）又はＲＳ−ＳＩＮＲ（Reference Signal-Signal-to-Interference-plus-Noise-power Ratio）が用いられる。移動局が接続しているハンドオーバ元のサービングセルの基地局は、移動局から受信した受信品質指標（ＲＳＲＱ又はＲＳ−ＳＩＮＲ）の測定報告に基づいて、周辺セルにハンドオーバするか否かを決定する。
【００２６】
図１の例において、スモールセル１２１Ａ〜１２４Ａの端部でマクロセル基地局１１１，１１２近傍となるエリア１３１Ａ，１３２Ａでは、スモールセルに比べてマクロセルの受信品質  （ＲＳＲＱ，ＲＳ−ＳＩＮＲ）が良好であるため、スモールセルエリア内でもあるがマクロセルへハンドオーバする方が通常、高スループットが期待される。
【００２７】
しかしながら、従来のハンドオーバ制御は、実際のデータ伝送遅延やスループットなどのデータ通信性能に基づくハンドオーバ制御ではないため、実際の遅延特性やスループットの観点から必ずしも最適なセルを選択しているわけではない。例えば、図１の例において、ＭＥＣサーバ１５１が直下に配置され接続されているスモールセル基地局１２１から、ＭＥＣサーバが直下にないマクロセル基地局１１１へハンドオーバしてしまうと、データ通信を行っている移動局１０のEnd-to-Endの遅延特性が劣化する。 ＭＥＣサーバがマクロセルのみに接続されている場合は、逆の関係となる。例えば、ＭＥＣサーバが直下に配置され接続されているマクロセル基地局から、ＭＥＣサーバが直下にないスモールセル基地局へハンドオーバしてしまうと、データ通信を行っている移動局１０のEnd-to-Endの遅延特性が劣化する。 
【００２８】
そこで、本実施形態では、移動局１０でデータ通信に利用している通信サービス又はセッションに対応するデータ通信性能が得られる特定種類のセルに移動局１０を優先的に接続させるようにハンドオーバ制御を行っている。例えば、ＭＥＣサーバ１５１〜１５４によるデータ処理を伴うＶ２Ｘなどの通信サービス又はセッションに対する使用周波数帯として、ＭＥＣサーバ１５１〜１５４が配置されたスモールセル１２１Ａ〜１２４Ａの使用周波数帯（例えば、バンド４１）を優先設定しておく。これにより、移動局１０がＭＥＣサーバ１５１〜１５４によるデータ処理を伴うＶ２Ｘなどの通信サービス又はセッションを利用しているときに、ＭＥＣサーバ１５１〜１５４が配置されたスモールセル１２１Ａ〜１２４Ａに移動局１０を優先的に接続させるようにハンドオーバ制御を行うことができる。このようにＭＥＣサーバ１５１〜１５４が配置されたスモールセル１２１Ａ〜１２４Ａに優先的に接続させることにより、データ通信を行っている移動局１０のＥｎｄ−ｔｏ−Ｅｎｄの遅延特性の劣化を抑制できるので、 ハンドオーバ時のデータ通信性能の低下を抑制することができる。
【００２９】
図２は、本実施形態に係る基地局のハンドオーバ制御の一例を示すフローチャートである。図２の例は、ＭＥＣサーバ１５１が直下に配置されたスモールセル基地局１２１がハンドオーバ（ＨＯ）元基地局である場合の例である。
【００３０】
図２において、ＨＯ元基地局（スモールセル基地局１２１）は、高いデータ通信特性（例えば、データ通信の低遅延性）が要求される特定の通信サービス（例えば前述のＶ２Ｘの通信サービス）及びセッションに対して優先的に使用する優先使用周波数帯が設定されている（Ｓ１０１）。
【００３１】
ＨＯ元基地局は、スモールセル１２１Ａに在圏してＨＯ元基地局に接続している対象の移動局１０が利用している通信サービス及びセッションの情報を取得し（Ｓ１０２）、その移動局１０の通信サービスが上記特定の通信サービスか否かを判定し（Ｓ１０３）、特定の通信サービスでない場合は移動局１０のセッションが上記特定のセッションか否かを判定する（Ｓ１０４）。
【００３２】
移動局１０の通信サービスが上記特定の通信サービスである場合又は移動局１０のセッションが上記特定のセッションである場合（Ｓ１０３，Ｓ１０４でＹｅｓ）、ＨＯ元基地局は、移動局から受信した測定報告（ＭＲ）に基づいて、上記優先使用周波数帯の受信品質指標（例えば、ＲＳＲＰ、ＲＳＲＱ又はＲＳ−ＳＩＮＲ）が所定の閾値以上か否かを判定する（Ｓ１０５）。
【００３３】
優先使用周波数帯の受信品質指標が閾値以上の場合、ＨＯ元基地局は、優先使用周波数帯の周辺セル（例えば、ＭＥＣサーバ１５２が直下に配置されたスモールセル１２２Ａ）に移動局１０を接続させるように制御する（Ｓ１０６）。
【００３４】
一方、移動局１０の通信サービスが上記特定の通信サービスではなく且つ移動局１０のセッションが上記特定のセッションでない場合（Ｓ１０３，Ｓ１０４でＮｏ）、又は、優先使用周波数帯の受信品質指標が閾値未満の場合、ＨＯ元基地局は、通常の受信品質測定報告（ＭＲ）に基づいて決定した周辺セル（例えば、受信品質指標が高いマクロセル１１１Ａ又はスモールセル１２２Ａ）に移動局１０を接続させるように制御する（Ｓ１０７）。
【００３５】
なお、図２の例では、データ通信の低遅延性を優先させる通信サービス（例えば前述のＶ２Ｘの通信サービス）を用いる移動局又はセッションのみを対象として、ＭＥＣサーバを配置する優先使用周波数帯のセルに優先的に移動局１０を接続させる優先接続制御を適用しているが、データ通信の低遅延性を優先させる通信サービス（例えば前述のＶ２Ｘの通信サービス）専用の周波数帯を用いる場合などを想定し、すべての移動局を対象として上記優先接続制御を適用してもよい。
【００３６】
以上、図１及び図２の実施形態によれば、移動局１０が利用しているＶ２Ｘ等の通信サービス又はセッションに対応するデータ通信性能が得られるスモールセル１２１Ａ〜１２４Ａに移動局１０を優先的に接続させることにより、移動局１０がデータ通信を行っているときのデータ通信性能の劣化を抑制できるので、ハンドオーバ時のデータ通信性能の低下を抑制することができる。
【００３７】
図３は、本実施形態に係る移動通信システムにおけるハンドオーバ制御の一例を示すシーケンス図である。図３の例は、ＭＥＣサーバ１５１が直下に配置されたスモールセル基地局１２１がハンドオーバ（ＨＯ）元基地局である場合の例である。
【００３８】
図３において、ＨＯ元基地局（スモールセル基地局１２１）は、移動局１０が利用する通信サービスごとに優先使用周波数帯が設定されている。例えば、高いデータ通信特性（例えば、データ通信の低遅延性又はスループット）が要求される通信サービス（例えば、前述のＶ２Ｘの通信サービス）については、前述の図１の移動通信システムにおけるＭＥＣサーバ１５１〜１５４が直下に配置されたスモールセル１２１Ａ〜１２４Ａの使用周波数帯（バンド４１）が、優先使用周波数帯として設定されている。
【００３９】
次に、ＨＯ元基地局は、上記設定された通信サービスの種類と優先使用周波数帯との対応関係を示すリストを含む測定制御情報を、対象の移動局１０に送信する。測定制御情報は、周辺リストと、移動局１０で測定する受信品質指標を指定する情報とを含む。
【００４０】
次に、移動局１０は、ＨＯ元基地局から受信した測定制御情報に基づいて、移動局１０が利用している通信サービスに対応する優先使用周波数帯について、測定制御情報で指定された受信品質指標（例えば、ＲＳＲＰ、ＲＳＲＱ又はＲＳ−ＳＩＮＲ）を測定する。
【００４１】
ここで、移動局１０は、優先使用周波数帯における受信品質指標の測定結果が予め設定した所定の閾値以上か否かを判定し、優先使用周波数帯における受信品質指標の測定結果が閾値以上の場合、その測定報告をＨＯ元基地局に送信する。
【００４２】
一方、優先使用周波数帯における受信品質指標の測定結果が閾値未満の場合、移動局１０は、測定報告をＨＯ元基地局に送信しない。これにより、不要な測定報告（ＭＲ）の送信を低減させることができるので、移動局１０の消費電力を低減するとともに、移動局からＨＯ元基地局へのアップリンク（ＵＬ）リソースの有効利用を図ることができる。
【００４３】
次に、ＨＯ元基地局は、移動局１０から受信した測定報告（ＭＲ）に含まれる優先使用周波数帯における受信品質指標の測定結果に基づいて、優先使用周波数の周辺セルへのハンドオーバを行うか否かを決定する。ハンドオーバを行うことを決定した場合、ＨＯ元基地局は、ハンドオーバ要求を、優先使用周波数の周辺セルであるターゲットセルのＨＯ先基地局に送信する。ＨＯ先基地局は、ハンドオーバ要求に基づいて、サービングセルからのハンドオーバを受け付ける制御を実行した後、ＨＯ要求応答をＨＯ元基地局に返信する。
【００４４】
ＨＯ元基地局は、ＨＯ先基地局からＨＯ要求応答を受信すると、ＨＯコマンドを移動局１０に送信する。移動局１０は、ＨＯ完了をターゲットセルのＨＯ先基地局にすると、ＨＯ先基地局を介してコアネットワークとの間でパケットデータを送受信可能な状態になる。
【００４５】
以上、図１及び図３の実施形態によれば、移動局１０が利用しているＶ２Ｘ等の通信サービスの種類に応じて設定した優先使用周波数帯について測定した受信品質指標の測定報告に基づいて、優先使用周波数帯を使用する周辺セルのスモールセルへのハンドオーバを決定することにより、移動局１０が利用しているＶ２Ｘ等の通信サービスに対応するデータ通信性能が得られる直下にＭＥＣサーバが配置されたスモールセル１２１Ａ〜１２４Ａに移動局１０を優先的に接続させ、Ｖ２Ｘ等の通信サービスを利用する移動局１０がデータ通信を行っているときのデータ通信性能の劣化を抑制できるので、ハンドオーバ時のデータ通信性能の低下を抑制することができる。
【００４６】
なお、本明細書で説明された処理工程並びに移動通信システム、基地局、移動局及びＭＥＣサーバの構成要素は、様々な手段によって実装することができる。例えば、これらの工程及び構成要素は、ハードウェア、ファームウェア、ソフトウェア、又は、それらの組み合わせで実装されてもよい。
【００４７】
ハードウェア実装については、実体（例えば、各種無線通信装置、Ｎｏｄｅ Ｂ、コンピュータ装置、ハードディスクドライブ装置、又は、光ディスクドライブ装置）において上記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【００４８】
また、ファームウェア及び／又はソフトウェア実装については、上記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された上記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【００４９】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【００５０】
１０  移動局（端末、ユーザ装置、通信端末装置）
１１１，１１２  マクロセル基地局
１１１Ａ，１１２Ａ  マクロセル
１２１，１２２，１２３，１２４  スモールセル基地局
１２１Ａ，１２２Ａ，１２３Ａ，１２４Ａ  スモールセル
１３１Ａ，１３２Ａ  マクロセル基地局近傍のエリア
１４０  コアネットワーク
１５１，１５２，１５３，１５４  ＭＥＣサーバ
２００  道路
２１０  自動車
【図１】
2019009681.tif 000003
【図２】
2019009681.tif 000004
【図３】
2019009681.tif 000005